(57)【要約】  突起状取付け装置を有する交換可能なフィルタカートリッジを有するろ過装置の交換カートリッジ適合性を確実にするための独特のフィルタアセンブリを開示する。１つの代表的なフィルタアセンブリが、ろ材を取り囲むための本体部と、それからぶら下がるネック部とを有する代表的なカートリッジ部材を含む。代表的なカートリッジの代表的なネック部は、未ろ過流体を本体部内に向けるための少なくとも１つの軸方向の入口ポート、および本体部からろ過流体を向けるための少なくとも１つの軸方向の出口ポートを含む。代表的なネック部は、また、それから外方に半径方向にぶら下がる少なくとも２つの代表的な突起を有し、少なくとも１つの突起が、キー付き係合面、前傾斜カム面、および後傾斜カム面を画定する。少なくとも１つの突起が、キー付き係合面、前傾斜カム面、および後傾斜カム面を画定する、少なくとも２つの代表的な突起を、代表的なフィルタアセンブリの他の部品上にも作動可能に配置することができる。
2007513761.tif 000002
【特許請求の範囲】
【請求項１】
フィルタアセンブリであって、
ａ）ろ材を取り囲むための本体部と、未ろ過流体を前記本体部内に向けるための少なくとも１つの入口ポート、および前記本体部からろ過流体を向けるための少なくとも１つの出口ポートを含むネック部とを含むカートリッジ部材と、前記フィルタアセンブリが、その上に作動可能に配置された外方に半径方向にぶら下がる少なくとも２つの突起を有し、少なくとも１つの突起が、キー付き係合面、前傾斜カム面、および後傾斜カム面を画定し、
ｂ）軸方向のチャンバを画定し、かつ前記軸方向のチャンバと連通する入口通路および出口通路を含むヘッド部材と、
ｃ）前記ヘッド部材の前記入口通路および前記出口通路と前記ネック部の前記入口ポートおよび前記出口ポートとの間の連通を促進するために、前記カートリッジ部材の前記ネック部を受けるための、前記ヘッド部材軸方向チャンバ内に回転自在に配置され、かつ軸方向の空間を画定するバルブ部材と、前記軸方向の空間が、少なくとも１つの突起上に画定された前記キー付き係合面と係合するための外面を画定する少なくとも１つの装着スロットを画定し、前記少なくとも１つの装着スロットが、前記バルブ部材の前記軸方向の空間と前記カートリッジ部材の係合および／または取り外しを促進するために、少なくとも１つの突起上に形成された前記後傾斜カム面と相互作用するための少なくとも１つの傾斜面をさらに画定し、
ｄ）前記ヘッド部材と前記カートリッジ部材との間に作動可能に配置された支持部材と、前記支持部材が、前記カートリッジ部材の前記ネック部を受けるための開口を含み、前記開口が、前記カートリッジ部材の前記突起の、前記支持部材との係合を促進するために、前記突起の少なくとも１つの上に形成された前記前傾斜カム面と相互作用するための少なくとも２つのカムランプを画定する内面を有し、
を含むフィルタアセンブリ。
【請求項２】
各突起が、キー付き係合面と、
前傾斜カム面と、
後傾斜カム面とを含む、請求項１に記載のフィルタアセンブリ。
【請求項３】
各突起上の前記キー付き係合面が、同様である、請求項２に記載のフィルタアセンブリ。
【請求項４】
各突起上の前記キー付き係合面が、異なる、請求項２に記載のフィルタアセンブリ。
【請求項５】
前記ネック部が、１対の正反対に対向した突起を含む、請求項１に記載のフィルタアセンブリ。
【請求項６】
前記ネック部が、３つの周囲に一定の間隔で離して配置した突起を含む、請求項１に記載のフィルタアセンブリ。
【請求項７】
前記ネック部が、第１および第２の対の正反対に対向した突起を含み、前記第１の対の突起が、第１の高さで前記ネック部上に作動可能に配置され、前記第２の対の突起が、第２の高さで前記ネック部上に作動可能に配置される、請求項１に記載のフィルタアセンブリ。
【請求項８】
前記キー付き係合面が、前記少なくとも１つの突起の、軸方向に面する外面を含む、請求項１に記載のフィルタアセンブリ。
【請求項９】
前記カートリッジ部材の前記ネック部が、中に前記少なくとも１つの入口ポートが形成された、第１の軸方向に面する外面を含む、請求項１に記載のフィルタアセンブリ。
【請求項１０】
前記カートリッジ部材の前記ネック部が、中に前記少なくとも１つの出口ポートが形成された、第２の軸方向に面する外面を含む、請求項１に記載のフィルタアセンブリ。
【請求項１１】
フィルタカートリッジであって、
ａ）流体をろ過するためのろ材を取り囲むための本体部と、
ｂ）未ろ過流体を前記本体部内に向けるための少なくとも１つの入口ポート、および前記本体部からろ過流体を向けるための少なくとも１つの出口ポートを含むネック部と、前記フィルタカートリッジが、前記フィルタカートリッジから外方に半径方向にぶら下がる少なくとも２つの突起を有し、少なくとも１つの突起が、キー付き係合面、前傾斜カム面、および後傾斜カム面を画定し、前記キー付き係合面が、前記カートリッジが適合性のある装着アセンブリと係合することを可能にし、前記後傾斜カム面が、前記後傾斜カム面との前記係合を促進し、
を含むフィルタカートリッジ。
【請求項１２】
各突起が、キー付き係合面と、
前傾斜カム面と、
後傾斜カム面とを含む、請求項１１に記載のフィルタカートリッジ。
【請求項１３】
前記キー付き係合面が、同様である、請求項１２に記載のフィルタカートリッジ。
【請求項１４】
前記キー付き係合面が、異なる、請求項１２に記載のフィルタカートリッジ。
【請求項１５】
前記ネック部が、１対の正反対に対向した突起を含む、請求項１１に記載のフィルタカートリッジ。
【請求項１６】
前記ネック部が、３つの周囲に一定の間隔で離して配置した突起を含む、請求項１１に記載のフィルタカートリッジ。
【請求項１７】
前記ネック部が、第１および第２の対の正反対に対向した突起を含み、前記第１の対の突起が、第１の高さで前記ネック部上に配置され、前記第２の対の突起が、第２の高さで前記ネック部上に配置される、請求項１１に記載のフィルタカートリッジ。
【請求項１８】
前記少なくとも１つの突起が、軸方向に面する外面を有し、前記キー付き係合面が、前記軸方向に面する外面上に作動可能に配置される、請求項１１に記載のフィルタカートリッジ。
【請求項１９】
前記カートリッジ部材の前記ネック部が、中に前記少なくとも１つの入口ポートが形成された、第１の軸方向に面する外面を含む、請求項１１に記載のフィルタカートリッジ。
【請求項２０】
前記カートリッジ部材の前記ネック部が、中に前記少なくとも１つの出口ポートが形成された、第２の軸方向に面する外面を含む、請求項１１に記載のフィルタカートリッジ。
【請求項２１】
フィルタカートリッジであって、
ａ）流体をろ過するためのろ材を取り囲むための本体部と、
ｂ）未ろ過流体を前記本体部内に向けるための少なくとも１つの軸方向の入口ポート、および前記本体部からろ過流体を向けるための少なくとも１つの軸方向の出口ポートを含むネック部と、前記フィルタカートリッジが、前記フィルタカートリッジの上に作動可能に配置され、かつ前記フィルタカートリッジから外方に半径方向にぶら下がる少なくとも２つの突起を有し、
を含むフィルタカートリッジ。
【請求項２２】
前記少なくとも１つの突起が、
キー付き係合面と、
前傾斜カム面および後傾斜カム面とを含み、前記キー付き係合面が、前記カートリッジが適合性のある装着アセンブリと係合することを可能にする、請求項２１に記載のフィルタカートリッジ。
【請求項２３】
前記ネック部が、
オーリングシールを受けるために適合され構成された、前記ネック部の中に形成された第１および第２の周囲溝を含み、前記第１の周囲溝が、前記ネック部の前記少なくとも１つの入口ポートと前記本体部との間に配置され、前記第２の周囲溝が、前記少なくとも１つの入口ポートと前記少なくとも１つの出口ポートとの間に配置される、請求項２１に記載のフィルタカートリッジ。
【請求項２４】
フィルタアセンブリであって、
ａ）ろ材を取り囲むための本体部と、未ろ過流体を前記本体部内に向けるための少なくとも１つの軸方向に延在する入口ポート、および前記本体部からろ過流体を向けるための少なくとも１つの軸方向に延在する出口ポートを含むネック部と含むカートリッジ部材と、前記ネック部が、前記ネック部から外方に半径方向にぶら下がる少なくとも２つの突起を有し、少なくとも１つの突起が、キー付き係合面、前傾斜カム面、および後傾斜カム面を画定し、
ｂ）軸方向のチャンバを画定し、かつ前記軸方向のチャンバと連通する入口通路および出口通路を含むヘッド部材と、
ｃ）前記ヘッド部材の前記入口通路および前記出口通路と前記ネック部の前記入口ポートおよび前記出口ポートとの間の連通を促進するために、前記カートリッジ部材の前記ネック部を受けるための、前記ヘッド部材軸方向チャンバ内に回転自在に配置され、かつ軸方向の空間を画定するバルブ部材と、前記空間が、前記少なくとも１つの突起上に画定された前記キー付き係合面と係合するための外面を画定する少なくとも１つの装着スロットを画定し、前記少なくとも１つの装着スロットが、前記カートリッジ部材の、前記バルブ部材の前記軸方向の空間との係合および／または取り外しを促進するために、前記少なくとも１つの突起上に形成された前記後傾斜カム面と相互作用するための少なくとも１つの傾斜面をさらに画定し、
ｄ）前記ヘッド部材と前記カートリッジ部材との間に配置された支持部材と、前記支持部材が、前記カートリッジ部材の前記ネック部を受けるための開口を含み、前記開口が、前記カートリッジ部材の前記突起の、前記支持部材との係合を促進するために、前記突起の少なくとも１つの上に形成された前記前傾斜カム面と相互作用するための少なくとも２つのカムランプを画定する内面を有し、
を含むフィルタアセンブリ。
【請求項２５】
前記ネック部が、前記ネック部から外方に半径方向にぶら下がる少なくとも２つの突起を有する、請求項１に記載のフィルタアセンブリ。
【請求項２６】
前記本体部が、前記本体部から外方に半径方向にぶら下がる少なくとも２つの突起を有する、請求項１に記載のフィルタアセンブリ。
【請求項２７】
前記ネック部が、前記ネック部から外方に半径方向にぶら下がる少なくとも２つの突起を有する、請求項１１に記載のフィルタカートリッジ。
【請求項２８】
前記本体部が、前記本体部から外方に半径方向にぶら下がる少なくとも２つの突起を有する、請求項１１に記載のフィルタカートリッジ。
【請求項２９】
前記ネック部が、前記ネック部から外方に半径方向にぶら下がる少なくとも２つの突起を有する、請求項２１に記載のフィルタカートリッジ。
【請求項３０】
前記本体部が、前記本体部から外方に半径方向にぶら下がる少なくとも２つの突起を有する、請求項２１に記載のフィルタカートリッジ。
【請求項３１】
フィルタアセンブリであって、
ａ）ろ材を取り囲むための本体部と、未ろ過流体を前記本体部内に向けるための少なくとも１つの入口ポート、および前記本体部からろ過流体を向けるための少なくとも１つの出口ポートを含むネック部と含むカートリッジと、前記フィルタアセンブリが、前記フィルタアセンブリの上に作動可能に配置された外方に半径方向にぶら下がる少なくとも２つの突起を有し、少なくとも１つの突起が、キー付き係合面、前傾斜カム面、および後傾斜カム面を画定し、
ｂ）軸方向のチャンバを画定し、かつ前記軸方向のチャンバと連通する入口通路および出口通路を含むヘッド部材と、
ｃ）前記ヘッド部材と前記カートリッジ部材との間に作動可能に配置された支持部材と、前記支持部材が、前記カートリッジ部材の前記ネック部を受けるための開口を含み、前記開口が、前記カートリッジ部材の前記突起の、前記支持部材との係合を促進するために、前記突起の少なくとも１つの上に形成された前記前傾斜カム面と相互作用するための少なくとも２つのカムランプを画定する内面を有し、
を含むフィルタアセンブリ。
【発明の詳細な説明】
【技術分野】
【０００１】
本出願は、２０００年４月２０日に出願された米国特許出願第０９／５５３，９８２号明細書、現在、米国特許第６，４５８，２６９号明細書の継続である、２００２年７月３０日に出願された米国特許出願第１０／２０８，４９２号明細書の一部継続であり、各々の開示を本出願と矛盾しない程度に参照により本明細書に取り込んでいる。
【０００２】
本開示は、流体ろ過装置に関し、より詳細には、交換カートリッジ適合性を確実にするためにキー付きロックアウトシステムを有するフィルタアセンブリに関する。
【背景技術】
【０００３】
コーヒーまたはソフトドリンクなどの液体を分配するための商業用自動販売機が、我々の社会において広まっている。これらの自動販売機の水などの液体は、水を適切なフィルタを通して循環させることによって、分配される前にろ過することが一般的である。飲料水をろ過するための、および製氷のための、冷蔵庫などの消費者機器のろ過装置を見出すことも普通である。このタイプの商業用および家庭用ろ過装置は、限られた有効寿命を有し、頻繁な交換を必要とする。このタイプの先行技術の交換可能なろ過装置の例が、同一譲受人による、Ｐｅｔｒｕｃｃｉらへの米国特許第４，７３５，７１６号明細書およびＧｉｏｒｄａｎｏらへの米国特許第４，８０６，２４０号明細書に開示されている。
【０００４】
ほとんどの場合、商業用機器および消費者機器に使用される交換可能なフィルタは、機器製造業者によって提供される特定の設計仕様および性能パラメータに従って製造される。多くの場合、そのようなフィルタに使用されるろ材は、専有の材料からなるか、専有の処理を用いて製造される。したがって、機器製造は、しばしば、ろ過装置の一体性および適切な動作を確実にするように、交換カートリッジを元の装置供給業者から購入することを勧める。
【０００５】
しばしば、家庭用機器の所有者、または商業用自動販売機を保守するメンテナンス員は、ろ過装置の交換フィルタ仕様および動作パラメータに気づかない。したがって、彼らは、使用されたフィルタを、アフターマーケット製造業者によって供給される劣ったまたは適合性のない交換フィルタと交換することによって、知らないでろ過装置の一体性を危うくする。この問題は、また、劣った交換燃料フィルタが、しばしば、車両所有者または運転者の知らないうちに車両に設置されるので、自動車フィルタ製造業者によって遭遇されている。
【０００６】
この問題に対する１つの解決策が、Ｊａｎｉｋへの米国特許第５，０３５，７９７号明細書に開示されており、ネジ式固定カラーを有する軸方向に取付けられた燃料フィルタの交換カートリッジ適合性を確実にするために、キー装置が設けられる。キー装置は、フィルタカートリッジを軸方向に受けるための基部に形成された軸方向に突出するキーの独特のマトリックスと、適合性のあるカートリッジに形成されたスロットの対応するマトリックスとを使用し、所与の適合性のあるカートリッジおよび基部について、キーはスロット内にインターロック可能であり、基部にカートリッジを固定止錠する。各適合性のないカートリッジおよび基部について、基部キーは、カートリッジスロットと係合可能でなく、カートリッジの、基部への取付けを妨げる。同様のキー装置が、Ｊａｎｉｋへの米国特許第５，１８６，８２９号明細書に開示されており、これは、カートリッジが基部内に軸方向に押されるときに、基部の対応する一定の間隔で離して配置した陥凹部と係合するように、燃料フィルタカートリッジの円筒型側壁から半径方向に突出する、１組の角度的に隔置された弓形突起を含む。Ｊａｎｉｋへの米国特許第５，８３７，１３７号明細書は、ネジ式固定カラーを有する軸方向に取付けられた燃料フィルタのためのさらに別のキー装置を開示している。
【発明の開示】
【発明が解決しようとする課題】
【０００７】
そのような先行技術のキー装置は、ネジ式固定カラーを有する軸方向に取付け可能な自動車燃料フィルタと関連する使用に適しているが、それらは、カートリッジの、基部または支持構造体への回転自在な取付けを促進するように構成された１組のカム突起が、フィルタカートリッジに設けられた消費者用および産業用水ろ過装置と関連する使用のために容易に適合されない。突起状（ｌｕｇｇｅｄ）係合部を有する先行技術のフィルタカートリッジの例が、上で説明されたＰｅｔｒｕｃｃｉらおよびＧｉｏｒｄａｎｏらの特許、ならびにＴｈｏｍｓｅｎらへの米国特許第４，８５７，１８９号明細書および米国特許第４，９５６，０８６号明細書に開示されている。突起状取付け装置を有する交換可能なフィルタカートリッジのためのキー装置を提供することが有益であろう。
【課題を解決するための手段】
【０００８】
本開示は、突起状取付け装置を有する交換可能なフィルタカートリッジを有するろ過装置の交換カートリッジ適合性を確実にするための独特のフィルタアセンブリに向けられる。本開示の１つの代表的な好ましい代表的な実施形態に従って、フィルタアセンブリは、ろ材を取り囲むための本体部と、それからぶら下がるネック部と含むカートリッジ部材を含む。カートリッジのネック部は、未ろ過流体を本体部内に向けるための少なくとも１つの入口ポート、および本体部からろ過流体を向けるための少なくとも１つの出口ポートを含む。ネックは、また、それから外方に半径方向にぶら下がる少なくとも２つの突起を有し、少なくとも１つの突起が、キー付き係合面、前傾斜カム面、および後傾斜カム面を画定する。好ましくは、キー付き係合面は、少なくとも１つの突起の、軸方向に面する外面上にある。
【０００９】
別の代表的な好ましい実施形態において、カートリッジ部材のネック部は、第１および第２の軸方向に面する外面を含む。第１の軸方向に面する外面は、中に少なくとも１つの入口ポートが形成され、第２の軸方向に面する外面は、中に少なくとも１つの出口ポートが形成される。
【００１０】
さらに、各突起が、キー付き係合面、前傾斜カム面、および後傾斜カム面を画定することが想像される。さらに、カートリッジ部材の各突起上に画定されたキー付き係合面が実質的に同様であることが想像される。あるいは、カートリッジ部材の各突起上に画定されたキー付き係合面は異なることができる。
【００１１】
代表的なフィルタアセンブリは、軸方向のチャンバを画定し、かつチャンバと連通する入口通路および出口通路を含むヘッド部材をさらに含むことができる。バルブ部材が、ヘッド部材の入口通路および出口通路とネック部の入口ポートおよび出口ポートとの間の連通を促進するために、カートリッジ部材のネック部を受けるため、ヘッド部材の軸方向のチャンバ内に回転自在に配置され、かつ軸方向の空間を画定する。バルブ部材に形成された空間は、突起上に形成されたキー付き係合面と係合するための外面を含む少なくとも１つの装着スロットを画定する。装着スロットは、カートリッジ部材の、バルブ部材の軸方向の空間との係合および／または取り外しを促進するために、突起上に形成された後傾斜カム面と相互作用するための少なくとも１つの傾斜面をさらに画定する。
【００１２】
代表的なフィルタアセンブリは、ヘッド部材とカートリッジ部材との間に配置され、かつカートリッジ部材のネック部を受けるための開口を含む支持部材をさらに含むことができる。開口は、カートリッジ部材の突起の、支持部材との係合を促進するために、突起上に形成された前傾斜カム面と相互作用するための少なくとも２つのカムランプを画定する内面を有する。
【００１３】
本開示の別の代表的な好ましい実施形態において、カートリッジ部材のネック部は、１対の正反対に対向した突起を有する。あるいは、カートリッジ部材のネック部は、３つの周囲に一定の間隔で離して配置した突起を有する。さらなる代表的な実施形態において、カートリッジ部材のネック部は、第１および第２の対の正反対に対向した突起を有し、第１の対の突起は、第１の高さでネック部上に配置され、第２の対の突起は、第２の高さでネック部上に配置される。
【００１４】
本開示は、また、本体部と、ネック部とを含む代表的なフィルタカートリッジに向けられる。カートリッジの本体部は、通過される流体をろ過するためのろ材を取り囲む。ネック部は、本体部と連通し、かつ未ろ過流体を本体部内に向けるための入口ポート、および本体部からろ過流体を向けるための少なくとも１つの出口ポートを含む。ネック部は、現在好ましくは、それから外方に半径方向にぶら下がる少なくとも２つの突起を有し、少なくとも１つの突起が、キー付き係合面、前傾斜カム面、および後傾斜カム面を画定する。キー付き係合面は、カートリッジが、適合性のある装着アセンブリと係合することを可能にし、後傾斜カム面は、それとの係合を促進する。
【００１５】
本開示の代替の代表的な実施形態において、各突起は、キー付き係合面、前傾斜カム面、および後傾斜カム面を画定する。さらに、カートリッジ部材の各突起上に画定されたキー付き係合面が実質的に同様であることができるか、あるいは、それらが異なることができることが想像される。
【００１６】
現在好ましくは、カートリッジ部材のネック部は、１対の正反対に対向した突起を有する。あるいは、カートリッジ部材のネック部は、３つの周囲に一定の間隔で離して配置した突起を有する。さらなる代表的な実施形態において、カートリッジ部材のネック部は、第１および第２の対の正反対に対向した突起を有し、第１の対の突起は、第１の高さでネック部上に配置され、第２の対の突起は、第２の高さでネック部上に配置される。
【００１７】
本開示は、また、流体をろ過するためのろ材を取り囲むための本体部と、本体部と連通するネック部とを含むフィルタカートリッジに向けられる。ネック部は、未ろ過流体を本体部内に向けるための少なくとも１つの軸方向の入口ポート、本体部からろ過流体を向けるための少なくとも１つの軸方向の出口ポート、およびそれから外方に半径方向にぶら下がる少なくとも２つの突起を有するネック部を含む。
【００１８】
現在好ましくは、少なくとも１つの突起は、キー付き係合面、前傾斜カム面、および後傾斜カム面を画定し、キー付き係合面は、カートリッジが、適合性のある装着アセンブリと係合することを可能にする。
【００１９】
ネック部が、オーリングシールを受けるために適合され構成された、その中に形成された第１および第２の周囲溝を有することが想像される。第１の周囲溝は、ネック部材の少なくとも１つの入口ポートと本体部との間に配置され、第２の周囲溝は、少なくとも１つの入口ポートと少なくとも１つの出口ポートとの間に配置される。あるいは、少なくとも１つの入口ポートおよび少なくとも１つの出口ポートの位置を逆にすることができ、フィルタカートリッジが作動可能のままであることが理解される。
【００２０】
本開示は、また、交換可能なカートリッジと、ヘッド部材と、バルブと、支持構造体とを含む代表的なフィルタアセンブリに向けられる。カートリッジは、ろ材を取り囲むための本体部と、未ろ過流体を本体部内に向けるための少なくとも１つの軸方向に延在する入口ポート、および本体部からろ過流体を向けるための少なくとも１つの軸方向に延在する出口ポートを含むネック部とを有する。ネック部は、それから外方に半径方向にぶら下がる少なくとも２つの突起を有し、少なくとも１つの突起は、キー付き係合面、前傾斜カム面、および後傾斜カム面を画定する。
【００２１】
本開示の代表的な両面凸状のフィルタカートリッジアセンブリおよびそれを構成する方法のこれらおよび他の独特の特徴は、代表的な好ましい実施形態の詳細な説明と関連して次の図面の説明からより容易に明らかになるであろう。
【００２２】
本開示が関連する技術における当業者が、どのように本開示のフィルタカートリッジアセンブリを構成し使用するかをより容易に理解するために、図面を参照してもよい。
【００２３】
本開示の代表的なフィルタアセンブリのこれらおよび他の特徴は、次の代表的な好ましい実施形態の詳細な説明から、当該技術における当業者にはより容易に明らかになるであろう。
【発明を実施するための最良の形態】
【００２４】
ここで、同じ参照符号が本開示のフィルタアセンブリの同様の構造要素を特定する図を参照すると、本開示の好ましい代表的な実施形態に従って構成され、一般に参照符号１０で示されたフィルタアセンブリが、図１に示されている。フィルタアセンブリ１０は、未ろ過処理流体をフィルタアセンブリ内に配送するための入口導管１２と、フィルタアセンブリ１０からろ過処理流体を配送するための出口導管１４とを含む流体処理装置と関連する使用のために構成される。フィルタアセンブリ１０は、好ましくは、ブラケット１６によって、流体処理装置と関連する支持構造体に取付けられる。
【００２５】
図２を参照すると、フィルタアセンブリ１０は、入口導管１２と連通するための入口ポート２２と、出口導管１４と連通するための出口ポート２４とを有する、内部チャンバを画定するヘッド部２０からなる独特の回転バルブアセンブリ１８を含む。回転バルブアセンブリ１８は、流体がフィルタアセンブリを通って流れることを可能にされる開放位置とフィルタアセンブリを通る流れが制限される閉鎖位置との間で、ヘッド部に対するバルブ部材の回転を促進するように、ヘッド部２０の内部チャンバ内の装着のために構成されたバルブ部材２６をさらに含む。（図１０〜１１を参照のこと）。
【００２６】
バルブ部材２６は、ヘッド部２０の入口ポート２２と連通するための入口オリフィス３２と、ヘッド部２０の出口ポート２４と連通するための出口オリフィス３４とを含む。（図６〜７を参照のこと）。バルブ部材２６の本体は、アッパオーリングシール３６およびロアオーリングシール３８を収容するための陥凹部３６ａおよび３８ａを含む。オーリングシール３６は、動作の間、ヘッド部２０の内部チャンバ内で入口流を出口流から密封して隔離するのに役立ち、オーリングシール３８は雰囲気への漏れを防止する。
【００２７】
図２を続けて参照すると、フィルタアセンブリ１０は、本開示の好ましい代表的な実施形態に従って構成された交換可能なフィルタカートリッジ４０をさらに含む。フィルタアセンブリ１０は、交換カートリッジ４０が、それが関連する流体処理装置と適合性のあることを確実にするように適合され構成される。さらに、以下で説明されるように、フィルタカートリッジ４０およびバルブ部２６には、それらの間の適合性を確実にし、したがって、流体処理装置の一体性を危うくすることがある適合性のないまたは劣った交換カートリッジの偶発的なまたは意図的な設置を防止するキー付き係合構造体が設けられる。
【００２８】
図３を参照すると、交換可能なフィルタカートリッジ４０は、処理流体をろ過するためのろ材を取り囲む略円筒型本体部４２を含む。当業者は、たとえば、プリーツ付き媒体、マイクロファイバ、または炭素媒体を含む、さまざまな異なったタイプのろ材のいずれか１つを本体部内に取り囲むことができることを容易に理解するであろう。エンドキャップ４４が本体部４２を取り囲み、円筒型ネック部４６がエンドキャップ４４からぶら下がる。当業者は、エンドキャップ４４および本体部４２を、音波溶着、スピン溶着、または当該技術において知られている他の同様の方法によってともに接合することができることを容易に理解するであろう。フィルタカートリッジ４０のネック部４６は、バルブ部材２６の内部空間との装着のために適合され構成され（図６〜９を参照のこと）、上部４６ａと、下部４６ｂとを含む。当業者によって理解されるように、複数の可能な代替の代表的な実施形態の１つが、交換可能なフィルタカートリッジ４０を含むことができ、円筒型本体部４２および円筒型ネック部４６の直径に差がなく、したがって、円筒型底部４２と円筒型ネック部４６との間に区別がなく、したがって、カム突起６２および６４の位置は、フィルタカートリッジ４０が、取付けブラケット１６からぶら下がる中間サポートフランジ７０に作動可能に連結されるように、交換可能なフィルタカートリッジ４０上に作動可能に配置さえすればよい。
【００２９】
上部４６ａは、入口オリフィス３２を通ってバルブ部材２６に入る未ろ過処理流体を受け、流体をフィルタカートリッジ４０の本体部４２内に向けるための半径方向の入口通路５２を画定する。上部４６ａは、出口オリフィス３４を通る、ヘッド部２０の内部チャンバ内への出現のため、ろ過処理流体を本体部４２の内部からバルブ部材２６の内部空間に配送するための軸方向の出口通路５４をさらに画定する。当業者は、入口流が軸方向であり、出口流が半径方向であるように、ネック部の入口通路および出口通路を逆にすることができることを容易に理解するであろう。入口通路５２および出口通路５４は、ネック部４６の上端に配置されたアッパオーリングシール５６によって、互いに密封して隔離される。バルブ部材２６の内部チャンバ内にネック部４６を密封してかみ合わせ、動作中の間フィルタアセンブリ１０からの未ろ過処理流体の漏れを防止するために、第２のロアオーリングシール５８が半径方向の入口通路５２の下に配置される。
【００３０】
図３と関連して図２を参照すると、現在好ましくは、１対の正反対に対向した傾斜カム突起６２および６４が、ネック部４６の下部４６ｂから外方に半径方向に突出する。カム突起６２および６４は、取付けブラケット１６からぶら下がる中間サポートフランジ７０内のフィルタカートリッジの回転係合を促進するように所定の寸法につくられ構成される。図３に最もよく見られるように、中央開口７５が、フィルタカートリッジ４０のネック部４６を受けるため、サポートフランジ７０を通って延在する。１対の正反対に対向したカムランプ７２および７４が、カム突起６２および６４の傾斜ロア面と相互作用するため、中央開口７５内に半径方向に突出する。カムランプ７２および７４は、組立ての間ネック部が開口７５を通って延在されるときにカム突起６２および６４がそれらの間に嵌合することを可能にするように互いに隔置され、それらは、図４に示されているように、フィルタカートリッジの、サポートフランジ７０との回転係合を促進するために、それらの円弧長さに沿って傾斜している。
【００３１】
図２および図３を参照すると、サポートフランジ７０は、環状固定壁７８によって画定され、かつフィルタアセンブリ１０のヘッド部２０を受け保持するように構成された陥凹収容エリア７６をさらに含む。組立ての間、ヘッド部２０が陥凹収容エリア７６内に回転自在に係合されるときに、ヘッド部２０の下区域から外方に半径方向に突出する対応する傾斜した係合ストラット９２および９４と摩擦係合するように、正反対に対向した弓形保持リブ８２および８４が固定壁７８から内方に突出する。収容エリア７６内のヘッド部２０の移動を制限するため、止め面８２ａおよび８４ａが、それぞれ、保持リブ８２および８４と関連する。代替の代表的な実施形態において、ヘッド部２０およびサポートフランジ７０は、フィルタアセンブリ８００に関して以下で説明され、図５２〜５３に示されるように、互いに協働し係合するように適合させ構成することができる。
【００３２】
図１および図２に最もよく見られるように、サポートフランジ７０の環状固定壁７８は、また、フィルタアセンブリ１０の回転バルブアセンブリ１８を収容し保護するように構成されたシュラウド９０を収容し支持するように構成される。示されているように、シュラウド９０は、入口導管１２および出口導管１４を収容するための、横方向の開口、すなわち、開口９２を含む。当業者は、シュラウドの構成、およびそれがサポートフランジ７０に接合される方法が、装置が使用される動作環境の性質によって変わることができることを容易に理解するであろう。
【００３３】
図５を参照すると、本開示の現在好ましい代表的な実施形態に従って、カム突起６２および６４は、バルブ部材２６の内部空間２５内に形成された１対の対応する正反対に対向した装着エリア１０２および１０４内の装着のために適合され構成される。より詳細には、各カム突起６２、６４のアッパ面には、この場合、バルブ部材２６の装着エリア内に形成された対応する１組の一定の間隔で離して配置した陥凹部と係合し（ｅｎｇａｇｅ）係合する（ｍａｔｅ）ように適合され構成された複数の一定の間隔で離して配置した軸方向に突出する歯を有する独特のキー配列が設けられる。この係合配列は、バルブ部材の装着エリアの外面特徴と対応するキー付き面配列を有するフィルタカートリッジの交換を可能にするだけで、交換カートリッジ適合性を確実にするように設計される。
【００３４】
図３〜９に示された本開示の例示的な代表的な実施形態において、各カム突起（６２、６４）上のキー配列は、３つの一定の間隔で離して配置した歯（６２ａ〜６２ｃ、６４ａ〜６４ｃ）を含み、バルブ部材２６内の各装着エリア（１０２、１０４）は、カートリッジ４０のネック部４６がバルブ部材２６によって受けられるときに歯を収容するための３つの対応する陥凹部（１０２ａ〜１０２ｃ、１０４ａ〜１０４ｃ）を含む。
【００３５】
以下でより詳細に説明されるように、各カム突起上のキー配列を画定する歯の数は、この開示の範囲内で変わることができ（たとえば図１８〜４０を参照のこと）、キー配列の外面ジオメトリも同様であることができる（たとえば図１３〜１７を参照のこと）。各場合において、回転バルブ部材の装着エリアは、カム突起上に形成されたキー配列を収容するために対応する係合構成を有する。さらに、１つの突起上のキー構成が対向した突起のキー構成と異なることができることが想像される。これは、フィルタ製造業者に利用可能である可能なキーの組合せの数を大幅に増加させる。
【００３６】
図１０を参照すると、適合性のあるフィルタカートリッジが本開示のフィルタアセンブリ１０に導入されるとき、フィルタカートリッジ４０のネック部４６は、サポートフランジ７０の中央開口７５を通って挿入され、カム突起６２および６４は、正反対に対向したカムランプ７２および７４の間に配置される。そのような時に、バルブ部材２６は、ネック部４６を受けるために「オフ」位置にある。したがって、バルブ部材２６の入口オリフィス３２および出口オリフィス３４は、ヘッド部２０の入口ポート４２および出口ポート４４と整列されていない。そこで、カム突起６２および６４のキー付き係合面を形成する歯（６２ａ〜６２ｃ、６４ａ〜６４ｃ）は、陥凹エリア１０２および１０４の対応する陥凹部（１０２ａ〜１０２ｃ、１０４ａ〜１０４ｃ）内に延在し、それらと係合する。
【００３７】
いったん、フィルタカートリッジ４０のネック部４６がバルブ部材２６の内部チャンバ内に密接に係合されると、図１１に示されているように、カートリッジおよびバルブ部材を、サポートフランジ７０およびヘッド部２０に対して反時計回りの方向に回転させることができる。バルブ部材２６と関連してフィルタカートリッジ４０を回転させると、ネック部４６から突出するカム突起６２、６４は、カムランプ７２、７４に対して併進し、フィルタカートリッジ４０が軸方向に上方に螺旋状に移動することを引起す。結果として、バルブ部材２６は「オン」または開放位置に回転され、バルブ部材２６の入口オリフィス３２および出口オリフィス３４は、ヘッド部２０の入口ポート４２および出口ポート４４と整列されて、流体がフィルタアセンブリ１０を通って流れることを可能にする。
【００３８】
装置に導入された交換フィルタカートリッジのカム突起が、バルブ部材の装着エリアと係合するように構成されない場合、すなわち、無認可アフターマーケットフィルタカートリッジを示すであろう、カム突起がキー付き面配列を有さない場合、カム突起は、バルブ部材の装着エリアを妨げ、これらと係合することができない。したがって、カム突起６２、６４の傾斜カム面がカムランプ７２、７４の傾斜面の下に配置されるので、カム突起は、カムランプを横切ることができない。結果として、カム突起は、流体がアセンブリを通って流れることを可能にするように、「オン」位置へのバルブ部材の回転を行うことができない。これは、劣ったまたは無認可交換フィルタカートリッジの使用を防止することによって、交換カートリッジ適合性を確実にする。
【００３９】
図３〜１１の例示的な代表的な実施形態に示されたキー配列は、５の利用可能な歯位置を有するキー配列の群から選択される図２２に示されたキー配列に対応する。例示的な代表的な実施形態において、第１、第４、および第５の歯が存在し、第２および第３の歯が不在である。符号「１」がキー配列の位置の歯の存在を表し、符号「０」がキー配列の位置の歯の不在を表す規約を用いて、図３〜１１および図２２に示されたキー配列を、数表現（１，０，０，１，１）で表すことができる。
【００４０】
本開示の好ましい代表的な実施形態に従って、中に形成された陥凹エリア内に画定された陥凹部の数に関わらず回転バルブ部材と適合性のある面配列を有するカム突起が設けられた交換カートリッジが存在する。スケルトンキー配列とここで呼ばれるそのような配列を含む正反対に対向したカム突起を有するネック部を有するカートリッジが、図２および図１２に示されており、それぞれ、参照符号４０および１４０で一般に示されている。
【００４１】
図１２を参照すると、フィルタカートリッジ１４０のカム突起１６２および１６４は、第１および第５の歯位置のみが歯（すなわち、歯１６２ａ、１６２ｂ）で充填された歯配列によって画定されたスケルトンキー配列を含む。このスケルトンキーは、数表現（１，０，０，０，１）で表される。５位置キー配列において、第１および第５の位置が常に充填され、逆に、バルブ部材の陥凹エリアが、常に、相補的な位置に配置された陥凹部を有することが理解されるべきである。
【００４２】
下記表２は、フィルタカートリッジ１４０の対向したカム突起１６２および１６４と関連し、図３〜１１および図２１〜２７に示された５位置キー配列のための利用可能な歯の組合せを記載する。合計で、図１２のスケルトンキー配列を除いて、５位置キー配列のための７の利用可能な歯構成がある。下記表１は、図１８〜２０に示されたフィルタカートリッジ２４０の対向したカム突起２６２および２６４と関連する４位置キー配列のための利用可能な歯構成を記載する。合計で、示されておらず、数表現（１，０，０，１）で表されるスケルトンキー配列を除いて、４位置キー配列のための３の利用可能な歯構成がある。表３は、図２８〜４１に示されているような交換可能なフィルタカートリッジ３４０の対向したカム突起３６２および３６４と関連する６位置キー配列のための利用可能な歯構成を記載する。合計で、示されておらず、数表現（１，０，０，０，０，１）で表されるスケルトンキー配列を除いて、６位置キー配列のための１５の利用可能な歯構成がある。
【００４３】
【表１】
2007513761.tif 000003
【００４４】
【表２】
2007513761.tif 000004
【００４５】
【表３】
2007513761.tif 000005
要約すれば、「ｎ」の歯位置を有する所与の歯構成のための利用可能な歯の組合せの数「Ｎ」は、次のように数学的に表現することができる。
Ｎ＝２n-2−１
本開示のキー付き装置によって利用可能であるキー構成の比較的大きい数は、機器ごとにカスタマイズされたフィルタを提供する能力を元の装置製造に与える。したがって、各製造業者は、独特のセットの交換フィルタカートリッジを提供することができ、セットの各カートリッジは、特定のタイプの機器内に支持されたバルブ部材の対応する装着エリアと係合するための、そのカム突起上に設けられた異なったキー付き面配列を有する。
【００４６】
図１３〜１７を参照すると、本開示の好ましい代表的な実施形態に従って構成された交換フィルタカートリッジのシリーズが示されており、各々が、それと関連する異なったキー付き面配列を有する。たとえば、図１３、図１４、図１６、および図１７は、それぞれ、突起から外方に半径方向にも、軸方向にも突出する部分を有するキー付き面配列を有するカム突起４６３、４６４、４６６、および４６７を有するフィルタカートリッジ４０３、４０４、４０６、および４０７を示す。たとえば、図１３のカム突起４６３は、軸方向におよび突起から半径方向に突出する２つの歯４６３ａ、４６３ｂを含む。図１４のカム突起４６４は、２つの軸方向に突出する歯４６４ａおよび４６４ｃと、半径方向にも軸方向にも突出する１つの歯４６４ｂとを含む。図１６は、拡大された、半径方向におよび軸方向に突出する歯４６６ａと、より小さい、軸方向に突出する歯４６６ｂとを有するカム突起４６６を示す。図１７のカム突起４６７は、２つの軸方向に突出する歯４６７ａおよび４６７ｂを含み、カム突起自体の大部分が、フィルタカートリッジ４０７のネック部から外方に半径方向に突出する。本開示によれば、適合性のある回転バルブ部材が、カム突起４６３、４６４、４６６、および４６７の、半径方向におよび軸方向に延在するキー付き面配列に対応する係合特徴を有する陥凹エリアを有するということになる。
【００４７】
図１５は、本開示の好ましい代表的な実施形態に従って構成された別の交換フィルタカートリッジ４０５を示し、そのカム突起４６５上に設けられたキー付き面配列は、湾曲した外面４６５ａによって画定される。本開示によれば、フィルタカートリッジ４０５のための適合性のあるバルブ部材は、カートリッジ４０５との適合性を確実にするために、対応する湾曲した陥凹部を有する装着エリアを有する。
【００４８】
図４１〜４４を参照すると、本開示の好ましい代表的な実施形態に従って構成され、一般に参照符号５４０で示された別の交換フィルタカートリッジが示されている。フィルタカートリッジ５４０は、ネック部５４６の外周部の周りに周囲に一定の間隔で離して配置した３つのカム突起５６１、５６２、および５６３を含む。各カム突起は、適合性のある回転バルブ部材２６の対応する陥凹エリアと係合するためのキー付き面配列をその上に有する。図４２〜４４に示されているように、カム突起５６１〜５６３のキー付き面配列は、５歯構成（表２を参照のこと）から得られ、各カム突起は、その上に異なったキーパターンが形成される。特に、カム突起５６１は、数表現（１，０，１，０，１）で表すことができる第１のキー付き面配列を有し、カム突起５６２は、数表現（１，０，０，１，１）で表すことができる第２のキー付き面配列を有し、カム突起５６３は、数表現（１，１，０，０，１）で表すことができる第３のキー付き面配列を有する。カム突起５６１〜５６３が、各々、その上に同じキー付き面配列を設けることができることも想像される。
【００４９】
図４５〜４９を参照すると、本開示の好ましい代表的な実施形態に従って構成され、一般に参照符号６４０で示された別の交換フィルタカートリッジが示されている。フィルタカートリッジ６４０は、カム突起６６１〜６６４を含む２組の正反対に対向したカム突起を含む。第１の組の対向したカム突起６６１、６６３は、ネック部６４６上に第１の軸方向の高さで配置され、第２の組の対向したカム突起６６２、６６４は、ネック部６４６上に第２の軸方向の高さで配置される。さらに、各カム突起は、適合性のある回転バルブ部材２６の対応する陥凹エリアと係合するためのキー付き面配列をその上に有する。図４６〜４９に示されているように、カム突起６６１〜６６４のキー付き面配列は、５歯構成（表２を参照のこと）から得られる。カム突起６６１および６６４は、数表現（１，０，０，１，１）で表すことができる同じキー付き面配列をその上に有し、カム突起６６２および６６３は、両方、数表現（１，１，０，０，１）で表すことができる別のキー付き面配列をその上に有する。カム突起６６１〜６６４が、各々、その上に同じキー付き面配列を設けることができるか、代わりに、各カム突起が、その上に異なったキー付き面配列を設けることができることも想像される。
【００５０】
図５０〜５１を参照すると、本開示の好ましい代表的な実施形態に従って構成され、一般に参照符号７００で示された別のフィルタアセンブリが示されている。フィルタアセンブリ７００は、カートリッジ交換の間漏れを最小にするための機構を有する回転バルブ部材７２６を取り囲むヘッド部７２０を含む。この機構は、フローティングチェックボール７２８と、関連したバルブシート７３０とを含む。図５１に示されているように、通常のサービスの間、処理流体が装置を通って流れているとき、ろ過流体の出口流圧力は、チェックボール７２８が非収容位置にとどまることを引起す。対照的に、交換フィルタカートリッジ４０のネック部４６がバルブ部材７２６の内部ボアから取り出され、出口流圧力が終了されるとき、チェックボール７２８は、図５１に示されているように、バルブシート７３０に収容されるようになる。結果として、ヘッド部７２０内の空隙容量は、バルブ部材７２６から流れるのを制止される。
【００５１】
ここで図５２〜５３を参照すると、本開示の好ましい代表的な実施形態に従って構成され、一般に参照符号８００で示された別のフィルタアセンブリが示されている。フィルタアセンブリ８００は、アセンブリが、フィルタアセンブリ１０のバルブ部材１８などの回転バルブ部材を含まない点で、本開示の先に説明された代表的な実施形態と異なる。代わりに、図５３に最もよく見られるように、フィルタアセンブリ８００は、キーリング８１８の形態の環状挿入部を支持するように構成された下区域８２５ａを有する内部ボア８２５を有するヘッド部８２０を含む。キーリング８１８は、たとえば、交換フィルタカートリッジ４０のネック部２６上に形成されたカム突起６２、６４上の対応するキー付き面配列と係合するための正反対に対向した装着エリア８０２、８０４を画定する。本開示によれば、フィルタアセンブリ８００が関連する装置の一体性を確実にするために、適合性のある交換カートリッジは、キーリング８１８の陥凹エリアと係合するキー付き面配列を有するカム突起を有さなければならない。図５２を参照すると、フィルタアセンブリ８００は、交換フィルタカートリッジ４０の、ヘッド部材８２０および関連したキーリング８１８との回転係合を促進するためのぶら下がるサポートフランジ８７０を有する取付けブラケット８１６をさらに含む。中央開口８７５が、フィルタカートリッジ４０のネック４６を受けるために、サポートフランジ８７０を通って延在し、１対の正反対に対向したカムランプ８７２および８７４が、フィルタカートリッジ４０がヘッド部８２０と係合されるときにカム突起６２、６４の傾斜ロア面と作動可能に相互作用するため、中央開口８７５内に半径方向に突出する。サポートフランジ８７０は、ヘッド部８２０を受け保持するように構成された環状固定壁８７８によって画定された陥凹収容エリア８７６をさらに含む。より詳細には、ヘッド部８２０は、固定壁８７８から内方に半径方向に突出する１対の正反対に対向した保持フランジ８９２および８９４と作動可能に係合するための１対の正反対に対向した傾斜したカムストラット８８２および８８４を含む。さらに、ラチェットニブ８８２ａおよび８８４ａが、それぞれ、保持フランジ８９２および８９４に形成された対応するノッチ８９２ａおよび８９４ａ内の係合のため、ヘッド部８２０の下区域から外方に突出する。当業者は、ヘッド部８２０およびサポートフランジ８７０が相互作用し係合する方法を、また、上で説明されたフィルタアセンブリ１０と関連して用いることができ、ヘッド部２０およびサポートフランジ７０が実質的に同様に相互作用し係合するように適合され構成されることを容易に理解するであろう。
【００５２】
本開示のフィルタアセンブリ８００を組立てるために、各々が異なった陥凹部構成を有する１組のキーリングから選択することができる、陥凹部の特定の構成を有するキーリング８１８を、最初、ヘッド部８２０の内部ボア８２５の下区域８２５ａに挿入する。次に、ヘッド部を、サポートフランジ８７０の収容エリア８７６内に回転自在に係合させる。その後、カートリッジのネック部４６をサポートフランジ８７０の中央開口８７５を通して挿入し、カム突起６２、６４が、開口８７５内に半径方向に突出する対向したカムランプ８７２、８７４の間を通過することを可能することによって、フィルタカートリッジ４０をヘッド部８２０と接近させる。そのような時に、当然、カートリッジおよびキーリングが互いに適合性があれば、カム突起６２、６４のキー付き面配列は、キーリング８１８の対応する陥凹エリア８０２、８０４と係合する。いったん、カム突起６２、６４が陥凹エリア８０２、８０４と係合されると、フィルタカートリッジ４０を約９０°の円弧だけ回転させ、カム突起６２、６４の傾斜ロア面はカムランプ８７２、８７４に対して併進する。この相対移動は、キーリング８１８が内部ボア区域８２５ａ内で回転することを引起し、かつ、フィルタカートリッジ４０のネック部４６が、中で密封して受けられるような時まで、ヘッド部８２０の内部ボア８２５の上区域８２５ｂ内に軸方向に移動することを引起す。
【００５３】
フィルタカートリッジ４０が回転されてヘッド部８２０と係合するとき、キーリング８１８がヘッド部８２０に対して限られた移動範囲だけ回転するように備えることが留意されるべきである。さらに、回転バルブ部材がヘッド部８２０で使用されないので、内部ボア８２５の上区域８２５ｂは、フィルタカートリッジ４０のネック部４６と直接係合するように所定の寸法につくられ構成され、ネック部４６の入口ポート５２はヘッド部８２０の半径方向の入口ポート８１２と直接流体連通し、ネック部４６の軸方向の出口ポート５４はヘッド部８２０の半径方向の出口ポート８１４と直接流体連通する。
【００５４】
ここで図５４〜６４を参照すると、本開示の好ましい代表的な実施形態に従って構成され、一般に参照符号９００で示されたさらに別のフィルタアセンブリが示されている。フィルタアセンブリ１０と同様に、フィルタアセンブリ９００は、未ろ過処理流体をフィルタアセンブリ内に配送するための入口導管９１２と、フィルタアセンブリ９００からろ過処理流体を配送するための出口導管９１４とを含む流体処理装置と関連する使用のために構成される。フィルタアセンブリ９００は、好ましくは、ブラケット９１６によって、流体処理装置と関連する支持構造体に取付けられる。
【００５５】
図５４を参照すると、フィルタアセンブリ９００は、入口導管９１２と連通するための入口ポート９２２と、出口導管９１４と連通するための出口ポート９２４とを有する、内部チャンバを画定するヘッド部９２０を含む独特の回転バルブアセンブリ９１８を含む。回転バルブアセンブリ９１８は、流体がフィルタアセンブリを通って流れることを可能にされる開放位置と制限されていない流体が入口から出口までフィルタヘッドを通って流れるバイパス位置との間で、ヘッド部９２０に対するバルブ部材９２６の回転を促進するように、ヘッド部９２０の内部チャンバ内の装着のために構成されたバルブ部材９２６をさらに含む。（図５９〜６０を参照のこと）。
【００５６】
バルブ部材９２６は、ヘッド部９２０の入口ポート９２２と連通するための入口オリフィス９３２と、ヘッド部９２０の出口ポート９２４と連通するための出口オリフィス９３４とを含む。（図６１を参照のこと）バルブ部材９２６の本体は、入口オリフィス９３２および入口ポート９２２の流体密な接合を促進するのに役立つ、また図６１に示されたオーリングシール９３１を収容するための、入口オリフィス９３２を囲む図６１に示された陥凹部９３１ａを含む。バルブ部材９２６は、また、出口オリフィス９３４および出口ポート９２４の流体密な接合を促進するのに役立つ、図６１に示されたオーリングシール９３３を収容するための、出口オリフィス９３４を囲む陥凹部９３３ａを有する。バルブ部材９２６の本体は、オーリングシール９３８を収容するための陥凹部９３８ａをさらに含む（図６１〜６４を参照のこと）。オーリングシール９３８は、ヘッド部９２０の内部チャンバ内のバルブ部材９２６の密封係合を促進し、処理流体の雰囲気への漏れを防止するのに役立つ。
【００５７】
図５４を続けて参照すると、フィルタアセンブリ９００は、本開示の好ましい代表的な実施形態に従って構成された交換可能なフィルタカートリッジ９４０をさらに含む。フィルタアセンブリ９００は、交換カートリッジ９４０が、それが関連する流体処理装置と適合性のあることを確実にするように適合され構成される。さらに、以下で説明されるように、フィルタカートリッジ９４０およびバルブ部材９２６には、それらの間の適合性を確実にし、したがって、流体処理装置の一体性を危うくすることがある適合性のないまたは劣った交換カートリッジの偶発的なまたは意図的な設置を防止するキー付き係合構造体が設けられる。
【００５８】
図５４〜５６および図６１を参照すると、交換可能なフィルタカートリッジ９４０は、処理流体をろ過するためのろ材を取り囲む略円筒型本体部９４２を含む。当業者は、たとえば、プリーツ付き媒体、マイクロファイバ、または炭素媒体を含む、さまざまな異なったタイプのろ材のいずれか１つを本体部内に取り囲むことができることを容易に理解するであろう。本体部９４２は、好ましくは本体部９４２の一体型部品を形成するトップキャップ９４４を含む。あるいは、当業者は、トップキャップ９４４および本体部９４２を、別々に形成し、次に、音波溶着、スピン溶着、または当該技術において知られている他の同様の方法によってともに接合することができることを容易に理解するであろう。トップキャップ９４４は、それからぶら下がるネック部９４６を有する。フィルタカートリッジ９４０のネック部９４６は、バルブ部材９２６の内部空間内の装着のために適合され構成され（図５４、図５６、図５８〜６１を参照のこと）、上部９４６ａと、下部９４６ｂとを含む。
【００５９】
再び図５４を参照すると、ネック部９４６は、複数の軸方向の通路９５２を画定する。上部９４６ａは、好ましくは、また、軸方向の通路９５２に入る流体の流れを分けるため、上部９４６ａから外方に半径方向に突出する、複数の傾斜した軸方向に整列された突起９５１を画定する。したがって、本開示の例示的な好ましい代表的な実施形態において、未ろ過処理流体が、入口オリフィス９３２を通ってバルブ部材９２６の内部チャンバに入り、突起９５１の間に、軸方向の通路９５２を通って流れ、次に、フィルタカートリッジ９４０の本体部９４２（図５５を参照のこと）に入る。上部９４６ａは、ヘッド部９２０から出口オリフィス９３４およびポート９２４を通る出現のため、ろ過処理流体を本体部９４２の内部からバルブ部材９２６の内部空間に配送するための軸方向の出口通路９５４をさらに画定する。当業者は、ネック部９４６の入口通路および出口通路の方向／配向を逆にすることができることを容易に理解するであろう。入口通路９５２および出口通路９５４は、ネック部９４６の上端に配置されたアッパオーリングシール９５６によって、互いに密封して隔離される（図６１を参照のこと）。バルブ部材９２６の内部チャンバ内にネック部９４６を密封してかみ合わせ、動作中の間フィルタアセンブリ９００からの未ろ過処理流体の漏れを防止するために、第２のロアオーリングシール９５８が半径方向の通路９５２の入口の下に配置される。
【００６０】
図５６および図５８と関連して図５４を参照すると、１対の正反対に対向したカム突起９６２および９６４が、ネック部９４６の下部９４６ｂから外方に半径方向に突出する。カム突起９６２および９６４は、取付けブラケット９１６からぶら下がる中間サポートフランジ９７０内のフィルタカートリッジの回転係合を促進するように所定の寸法につくられ構成される。図５４に最もよく見られるように、中央開口９７５が、フィルタカートリッジ９４０のネック部９４６を受けるため、サポートフランジ９７０を通って延在する。１対の正反対に対向したカムランプ９７２および９７４が、カム突起９６２および９６４のロア面と相互作用するため、中央開口９７５内に半径方向に突出する。カムランプ９７２および９７４は、組立ての間ネック部が開口９７５を通って延在されるときにカム突起９６２および９６４がそれらの間に嵌合することを可能にするように互いに隔置される。図５６に最もよく示されているように、各カム突起９６２および９６４は、前傾斜面９６３を含む。前傾斜面９６３は、図５８〜６０および図６２〜６４に示されているように、フィルタカートリッジの、サポートフランジ９７０のカムランプ９７２および９７４との回転係合を促進するように適合され構成される。
【００６１】
図５４および図６１を参照すると、サポートフランジ９７０は、環状固定壁９７８によって画定され、かつフィルタアセンブリ９００のヘッド部９２０を受け保持するように構成された陥凹収容エリア９７６をさらに含む。組立ての間、ヘッド部９２０が陥凹収容エリア９７６内に回転自在に係合されるときに、ヘッド部９２０の下区域から外方に半径方向に突出する対応する係合ストラット９９２および９９４（図６１を参照のこと）と摩擦係合するように、正反対に対向した弓形保持リブ９８２および９８４が固定壁９７８から内方に突出する。本開示の代替の代表的な実施形態において、ヘッド部９２０およびサポートフランジ９７０は、フィルタアセンブリ８００に関してここで説明されるように、および図５２〜５３に示されているように、互いに協働し係合するように適合させ構成することができる。
【００６２】
フィルタアセンブリ１０と同様に、ならびに図１および図２に示されているように、サポートフランジ９７０の環状固定壁９７８は、また、フィルタアセンブリ９００の回転バルブアセンブリ９１８を収容し保護するための、シュラウド９０などのシュラウド（図示せず）を収容し支持するように構成することができる。また、フィルタアセンブリ１０のカム突起６２および６４と同様に、たとえば、図２および図３を参照のこと、カム突起９６２および９６４（図５４および図５６を参照のこと）は、バルブ部材９２６の内部空間９２５内に形成された、図５７に最もよく示された１対の対応する正反対に対向した装着エリア１００２および１００４内の装着のために適合させ構成することができる。本開示の他の好ましい代表的な実施形態と関連して説明されるように、各カム突起９６２、９６４のアッパ面には、この例示的な代表的な実施形態において、バルブ部材９２６の装着エリア１００２および１００４内に形成された対応する１組の一定の間隔で離して配置した陥凹部と係合し（ｅｎｇａｇｅ）係合する（ｍａｔｅ）ように適合され構成された複数の一定の間隔で離して配置した軸方向に突出する歯を有する独特のキー配列が設けられる。この係合配列は、バルブ部材の装着エリアの外面特徴に対応するキー付き面配列を有するフィルタカートリッジの交換を可能にするだけで、交換カートリッジの適合性を確実にするように設計される。
【００６３】
図５４〜６４に示された本開示の例示的な代表的な実施形態において、各カム突起（９６２、９６４）上のキー配列は、３つの一定の間隔で離して配置した歯（９６２ａ〜９６２ｃ、９６４ａ〜９６４ｃ）を含む。たとえば、ここで説明されるものなどの、キー配列の他の構成も使用することができる。図５７を参照すると、図５４〜６４に示された例示的な代表的な実施形態、装着エリア１００２および１００４は、また、リブ部材１００６を含む。フィルタアセンブリ１０に関してより詳細に説明されるように、２つの対応する装着エリアは、典型的には、カム突起上に形成された一定の間隔で離して配置した歯ごとに対応する陥凹部を含む。本開示のこの例示的な代表的な実施形態において、１つの陥凹部のみにリブ部材１００６が設けられる。装着エリアのためのこの構成は、スケルトンキー配列のより代表的なものである。しかし、当業者は、本開示の代替実施形態に関して先に開示された装着エリア構成をフィルタアセンブリ９００に適用することができることを容易に理解するであろう。
【００６４】
上でより詳細に説明されたように、各カム突起（９６２、９６４）上のキー配列を画定する歯の数は、この開示の範囲内で変わることができ（たとえば図１８〜４０を参照のこと）、キー配列の外面ジオメトリも同様であることができる（たとえば図１３〜１７を参照のこと）。各場合において、回転バルブ部材９２６の装着エリア（１００２、１００４）は、カム突起上に形成されたキー配列を収容するために対応する係合構成を有する。さらに、１つの突起上のキー構成が対向した突起のキー構成と異なることができることが想像される。これは、フィルタ製造業者に利用可能である可能なキーの組合せの数を大幅に増加させる。
【００６５】
図５４〜６１を参照すると、適合性のあるフィルタカートリッジがフィルタアセンブリ９００に導入されるとき、フィルタカートリッジ９４０のネック部９４６は、サポートフランジ９７０の中央開口９７５を通って挿入され、カム突起９６２および９６４は、正反対に対向したカムランプ９７２および９７４の間に配置される（図５４を参照のこと）。そのような時に、バルブ部材９２６は、ネック部９４６を受けるためにバイパス位置になければならない（図６０を参照のこと）。その位置において、バルブ部材９２６の入口オリフィス９３２および出口オリフィス９３４は、ヘッド部９２０の入口ポート９２２および出口ポート９２４と整列されていない。その構成において、入口ポート９２２に入る処理流体は、ヘッド部９２０の内部チャンバ内に、およびバルブ部材９２６の外面の周りに流れる。たとえば、オーリングシール９３８によって促進される、ヘッド部９２０内のバルブ部材９２６の密封係合は、バルブ部材９２６の周りに流れる処理流体の、雰囲気中への漏れを防止する。
【００６６】
図５６、図５８、および図６２〜６４を参照すると、そこで、カム突起９６２および９６４のキー付き係合面を形成する歯（９６２ａ〜９６２ｃ、９６４ａ〜９６４ｃ）は、対応する装着エリア１００２および１００４内に配置され、それらと係合させられる。ネック部９４６の挿入の間、カム突起９６２および９６４と関連する後傾斜面９６５（図５６を参照のこと）は、装着エリア１００２および１００４に形成された傾斜面１００８との係合のために適合され構成される。カム突起９６２および９６４上の後傾斜面および前傾斜面９６３および９６５の形成は、フィルタカートリッジ９４０の、サポートフランジ９７０、およびバルブ部材９２６の開口との回転係合を促進する。
【００６７】
いったん、フィルタカートリッジ９４０のネック部９４６がバルブ部材９２６の内部空間９２５内に密接に係合されると、カートリッジおよびバルブ部材を、たとえば、現在好ましくは、サポートフランジ９７０およびヘッド部９２０に対して、図５９に示されたフィルタ位置から図６０に示されたバイパス位置まで、反時計回りの方向に回転させることができる。バルブ部材９２６と関連してフィルタカートリッジ９４０を回転させると、ネック部９４６から突出するカム突起９６２、９６４は、カムランプ９７２、９７４に対して併進し、フィルタカートリッジ９４０が軸方向に上方に螺旋状に移動することを引起す。結果として、バルブ部材９２６は「オン」または開放位置に回転され、バルブ部材９２６の入口オリフィス９３２および出口オリフィス９３４は、ヘッド部９２０の、それぞれ、入口ポート９２２および出口ポート９２４と整列されて、流体がフィルタアセンブリ９００を通って流れることを可能にする。図６１は、本開示の例示的な好ましい代表的な実施形態に従う組立てられたフィルタアセンブリを示し、フィルタカートリッジ９４０がサポートフランジ９７０と係合され、バルブ部材９２６が開放位置にある。
【００６８】
装置に導入された交換フィルタカートリッジのカム突起が、バルブ部材の装着エリアと係合するように構成されない場合、すなわち、無認可アフターマーケットフィルタカートリッジを示すであろう、カム突起がキー付き面配列を有さない場合、カム突起は、バルブ部材の装着エリアを妨げ、これらと係合することができない。したがって、カム突起９６２、９６４がカムランプ９７２、９７４の傾斜面の下に配置されるので、カム突起は、カムランプを横切ることができない。結果として、カム突起は、流体がアセンブリを通って流れることを可能にするように、「オン」位置へのバルブ部材の回転を行うことができない。これは、劣ったまたは無認可交換フィルタカートリッジの使用を防止することによって、交換カートリッジ適合性を確実にする。
【００６９】
カム突起９６２、９６４（反対側、図示せず）の、バルブ部材９２６の内部空間に形成された対応する装着エリア１００２および１００４との相互作用を示す図６２〜６４をここで参照する。図６２において、フィルタカートリッジ９４０のネック部９４６は、バルブ部材９２６の内部空間９２５に完全に挿入され、カム突起９６２、９６４は装着エリア１００２および１００４内に配置される。時計回りの回転をフィルタカートリッジ９４０に与えると、図６３〜６４に示されているように、後傾斜面９６５は、装着エリア１００２、１００４に形成された傾斜面１００８と接触し、傾斜面１００８に沿って摺動し、フィルタカートリッジ９４０は、バルブ部材９２６の内部空間９２５内から取り外されるまで、下方の方向に押しやられる。同時に、バルブ部材９２６は、ヘッド部９２０内で開放位置から「バイパス」位置まで回転する。逆に、フィルタカートリッジ９４０をバルブ部材９２６の内部空間に挿入すると、後傾斜面９６５は、装着エリア１００２に形成された傾斜面１００８と接触する。フィルタカートリッジ９４０が反時計回りの方向に回転されると、傾斜面９６５は傾斜面１００８に沿って摺動し、フィルタカートリッジ９４０は押しやられて、上方の方向に移動し、したがって、サポートフランジ９７０との係合が促進される。
【００７０】
開示された流体ろ過機器を、例示的な、代表的な、現在好ましい実施形態に関して説明したが、特許請求の範囲によって画定されるような本発明の精神および範囲から逸脱することなく、それに修正および変更を行うことができることが明らかである。
【図面の簡単な説明】
【００７１】
【図１】本開示の代表的な好ましい実施形態に従って構成されたフィルタアセンブリの斜視図である。
【図２】図示を容易にするため部品が分離された、図１の代表的なフィルタアセンブリの分解斜視図である。
【図３】代表的なフィルタカートリッジと、代表的なサポートブラケットと、代表的なヘッド部材とを含む、図１の代表的なフィルタアセンブリの代表的な上部の拡大斜視図である。
【図４】上に形成された代表的な傾斜したカム面を示す、図３の線４−４に沿った、図３に示された代表的なサポートブラケットの断面図である。
【図５】図３の線５−５に沿って見たような、図３に示された代表的なバルブ部材の底端面図である。
【図６】図３の代表的なバルブ部材の立面図であり、代表的な内面特徴を示すために、外壁の代表的な部分が切り除かれる。
【図７】図３の代表的なバルブ部材の立面図であり、代表的な内面特徴を示すために、外壁の代表的な部分が切り除かれ、図６に示された位置から１８０°回転される。
【図８】図３のフィルタカートリッジおよびバルブ部材の代表的な上部の立面図であり、それらの間の係合を促進するために、その代表的なインターロッキング特徴は軸方向に整列している。
【図９】図８に示された位置から１８０°回転された、図３の代表的なフィルタカートリッジおよび代表的なヘッド部材の代表的な上部の立面図であり、それらの間の係合を促進するために、その代表的なインターロッキング特徴は軸方向に整列している。
【図１０】本開示の代表的なフィルタアセンブリの代表的な上部の斜視図であり、代表的なブラケット部材の代表的な傾斜したカム面に対する、代表的なフィルタの代表的なキー付きカム突起の初期位置を示すために、代表的なヘッド部材および代表的なバルブ部材の代表的な壁は切り除かれ、代表的なヘッド部材が関連する代表的なバルブアセンブリは、流れに対して閉鎖している。
【図１１】本開示の代表的なフィルタアセンブリの代表的な上部の斜視図であり、代表的なブラケット部材の代表的な傾斜したカム面に対する、代表的なフィルタの代表的なキー付きカム突起の最終位置を示すために、代表的なヘッド部材の代表的な壁は切り除かれ、代表的なヘッド部材が関連する代表的なバルブアセンブリは、流れに対して開放している。
【図１２】スケルトンキー配列を有するカム突起を含む、本開示の代表的なフィルタカートリッジの代表的な円筒型ネック部の斜視図である。
【図１３】本開示の代表的なフィルタカートリッジの代表的な円筒型ネック部上に形成されたカム突起上に設けられたさまざまな異なったキー構成を示す。
【図１４】本開示の代表的なフィルタカートリッジの代表的な円筒型ネック部上に形成されたカム突起上に設けられたさまざまな異なったキー構成を示す。
【図１５】本開示の代表的なフィルタカートリッジの代表的な円筒型ネック部上に形成されたカム突起上に設けられたさまざまな異なったキー構成を示す。
【図１６】本開示の代表的なフィルタカートリッジの代表的な円筒型ネック部上に形成されたカム突起上に設けられたさまざまな異なったキー構成を示す。
【図１７】本開示の代表的なフィルタカートリッジの代表的な円筒型ネック部上に形成されたカム突起上に設けられたさまざまな異なったキー構成を示す。
【図１８】最大４歯位置を有する代表的なカム突起のための利用可能なキーパターンの各々を示す。
【図１９】最大４歯位置を有する代表的なカム突起のための利用可能なキーパターンの各々を示す。
【図２０】最大４歯位置を有する代表的なカム突起のための利用可能なキーパターンの各々を示す。
【図２１】最大５歯位置を有する代表的なカム突起のための利用可能なキーパターンの各々を示す。
【図２２】最大５歯位置を有する代表的なカム突起のための利用可能なキーパターンの各々を示す。
【図２３】最大５歯位置を有する代表的なカム突起のための利用可能なキーパターンの各々を示す。
【図２４】最大５歯位置を有する代表的なカム突起のための利用可能なキーパターンの各々を示す。
【図２５】最大５歯位置を有する代表的なカム突起のための利用可能なキーパターンの各々を示す。
【図２６】最大５歯位置を有する代表的なカム突起のための利用可能なキーパターンの各々を示す。
【図２７】最大５歯位置を有する代表的なカム突起のための利用可能なキーパターンの各々を示す。
【図２８】最大６歯位置を有する代表的なカム突起のための利用可能なキーパターンの各々を示す。
【図２９】最大６歯位置を有する代表的なカム突起のための利用可能なキーパターンの各々を示す。
【図３０】最大６歯位置を有する代表的なカム突起のための利用可能なキーパターンの各々を示す。
【図３１】最大６歯位置を有する代表的なカム突起のための利用可能なキーパターンの各々を示す。
【図３２】最大６歯位置を有する代表的なカム突起のための利用可能なキーパターンの各々を示す。
【図３３】最大６歯位置を有する代表的なカム突起のための利用可能なキーパターンの各々を示す。
【図３４】最大６歯位置を有する代表的なカム突起のための利用可能なキーパターンの各々を示す。
【図３５】最大６歯位置を有する代表的なカム突起のための利用可能なキーパターンの各々を示す。
【図３６】最大６歯位置を有する代表的なカム突起のための利用可能なキーパターンの各々を示す。
【図３７】最大６歯位置を有する代表的なカム突起のための利用可能なキーパターンの各々を示す。
【図３８】最大６歯位置を有する代表的なカム突起のための利用可能なキーパターンの各々を示す。
【図３９】最大６歯位置を有する代表的なカム突起のための利用可能なキーパターンの各々を示す。
【図４０】最大６歯位置を有する代表的なカム突起のための利用可能なキーパターンの各々を示す。
【図４１】各々が上に異なったキー配列を有する、３つの周囲に一定の間隔で離して配置した代表的なカム突起を含む、本開示の好ましい代表的な実施形態に従って構成された代表的なフィルタカートリッジのネック部の上面図である。
【図４２】線４２−４２に沿った、図４１の代表的なフィルタカートリッジの代表的なネック部の側面図である。
【図４３】図４２に示された図から１２０°回転された、図４１の代表的なフィルタカートリッジの代表的なネック部の側面図である。
【図４４】図４３に示された図から１２０°回転された、図４１の代表的なフィルタカートリッジの代表的なネック部の側面図である。
【図４５】２つの異なったレベルでカートリッジの代表的なネック部上に配置された２組の正反対に対向したカム突起を含む、本開示の好ましい代表的な実施形態に従って構成された代表的なフィルタカートリッジの代表的なネック部の上面図である。
【図４６】線４６−４６に沿った、図４５の代表的なフィルタカートリッジの代表的なネック部の側面図である。
【図４７】図４６に示された図から９０°回転された、図４５の代表的なフィルタカートリッジの代表的なネック部の側面図である。
【図４８】図４７に示された図から９０°回転された、図４５の代表的なフィルタカートリッジの代表的なネック部の側面図である。
【図４９】図４８に示された図から９０°回転された、図４５の代表的なフィルタカートリッジの代表的なネック部の側面図である。
【図５０】本開示の好ましい代表的な実施形態に従って構成された別の代表的なフィルタアセンブリの側断面図であり、フィルタカートリッジがアセンブリから取り出されるときに装置からの流体の代表的な出現を抑制するために、代表的なボールバルブがアセンブリ内に配置され、ボールバルブは開放位置で示されている。
【図５１】図５０の代表的なフィルタアセンブリの側断面図であり、ボールバルブは、代表的なフィルタカートリッジがアセンブリから取り出されるときの閉鎖位置で示されている。
【図５２】交換フィルタカートリッジのキー付きカム突起上の対応する外面特徴と係合するように設計された陥凹部を有するキーリングの形態の環状挿入部を含む、図示を容易にするため部品が分離された、本開示の代表的な好ましい実施形態に従って構成された別の代表的なフィルタアセンブリの分解斜視図である。
【図５３】図５２の代表的なフィルタアセンブリの斜視図であり、ヘッド部は、その内部構造体を示すために断面である。
【図５４】流体が代表的なフィルタアセンブリを通って流れることを可能にされる開放位置と制限されていない流体が入口から出口までフィルタヘッドを通って流れるバイパス位置との間で、代表的なフィルタアセンブリの代表的なヘッド部に対して、回転させることができるバルブ部材を含む、図示を容易にするため部品が分離された、本開示の好ましい実施形態に従って構成された別の代表的なフィルタアセンブリの分解斜視図である。
【図５５】図５４の組立てられた代表的なフィルタアセンブリの斜視図である。
【図５６】ネック部の構造を示す、図５４〜５５に示された交換可能なフィルタカートリッジの上部の拡大斜視図である。
【図５７】バルブ部材の内部空間内に形成され、かつカム突起を受けるために構成された装着構造体を示す、図５４に参照番号４で示されたエリアの拡大斜視図である。
【図５８】代表的な交換可能なフィルタカートリッジの、中間サポートフランジに形成された中央開口への挿入を示す、図５４の代表的なフィルタアセンブリの上部の拡大斜視図である。
【図５９】図示を容易にするため、代表的なヘッド部および代表的なバルブ部材の一部が切取られた、図５４の代表的なフィルタアセンブリの上部の拡大斜視図であり、代表的なバルブ部材は「フィルタ」位置にある。
【図６０】図示を容易にするため、ヘッド部およびバルブ部材の一部が切取られた、図５４の代表的なフィルタアセンブリの上部の拡大斜視図であり、バルブ部材は「バイパス」位置にある。
【図６１】図５４〜６０の代表的なフィルタアセンブリの上部の断面図であり、交換可能な代表的なフィルタカートリッジアセンブリは、バルブ部材内に係合されて示され、バルブ部材はヘッド部内に係合される。
【図６２】バルブ部材からの交換可能な代表的なフィルタカートリッジアセンブリの取り外しを示す、図５４の代表的なフィルタアセンブリの上部の拡大斜視図である。
【図６３】バルブ部材からの交換可能な代表的なフィルタカートリッジアセンブリの取り外しを示す、図５４の代表的なフィルタアセンブリの上部の拡大斜視図である。
【図６４】バルブ部材からの交換可能な代表的なフィルタカートリッジアセンブリの取り外しを示す、図５４の代表的なフィルタアセンブリの上部の拡大斜視図である。
【図１】
2007513761.tif 000006
【図２】
2007513761.tif 000007
【図３】
2007513761.tif 000008
【図４】
2007513761.tif 000009
【図５】
2007513761.tif 000010
【図６】
2007513761.tif 000011
【図７】
2007513761.tif 000012
【図８】
2007513761.tif 000013
【図９】
2007513761.tif 000014
【図１０】
2007513761.tif 000015
【図１１】
2007513761.tif 000016
【図１２】
2007513761.tif 000017
【図１３】
2007513761.tif 000018
【図１４】
2007513761.tif 000019
【図１５】
2007513761.tif 000020
【図１６】
2007513761.tif 000021
【図１７】
2007513761.tif 000022
【図１８】
2007513761.tif 000023
【図１９】
2007513761.tif 000024
【図２０】
2007513761.tif 000025
【図２１】
2007513761.tif 000026
【図２２】
2007513761.tif 000027
【図２３】
2007513761.tif 000028
【図２４】
2007513761.tif 000029
【図２５】
2007513761.tif 000030
【図２６】
2007513761.tif 000031
【図２７】
2007513761.tif 000032
【図２８】
2007513761.tif 000033
【図２９】
2007513761.tif 000034
【図３０】
2007513761.tif 000035
【図３１】
2007513761.tif 000036
【図３２】
2007513761.tif 000037
【図３３】
2007513761.tif 000038
【図３４】
2007513761.tif 000039
【図３５】
2007513761.tif 000040
【図３６】
2007513761.tif 000041
【図３７】
2007513761.tif 000042
【図３８】
2007513761.tif 000043
【図３９】
2007513761.tif 000044
【図４０】
2007513761.tif 000045
【図４１】
2007513761.tif 000046
【図４２】
2007513761.tif 000047
【図４３】
2007513761.tif 000048
【図４４】
2007513761.tif 000049
【図４５】
2007513761.tif 000050
【図４６】
2007513761.tif 000051
【図４７】
2007513761.tif 000052
【図４８】
2007513761.tif 000053
【図４９】
2007513761.tif 000054
【図５０】
2007513761.tif 000055
【図５１】
2007513761.tif 000056
【図５２】
2007513761.tif 000057
【図５３】
2007513761.tif 000058
【図５４】
2007513761.tif 000059
【図５５】
2007513761.tif 000060
【図５６】
2007513761.tif 000061
【図５７】
2007513761.tif 000062
【図５８】
2007513761.tif 000063
【図５９】
2007513761.tif 000064
【図６０】
2007513761.tif 000065
【図６１】
2007513761.tif 000066
【図６２】
2007513761.tif 000067
【図６３】
2007513761.tif 000068
【図６４】
2007513761.tif 000069
【国際調査報告】
2007513761.tif 000070
2007513761.tif 000071
2007513761.tif 000072